(57)【要約】  ジャンクションボックスとハイブリッドファイバ/銅ケーブルは、損傷を受けたハイブリッドファイバ/銅ケーブルのファイバ又は銅線ハイブリッドファイバオプティックを、全ケーブルアセンブリの取替え又はケーブルの再終端処理をせずに修理することを可能する。ハイブリッドファイバ/銅ケーブルはコネクタハウジング内のケーブルマネジメントを含んでいる。本方法はハイブリッドファイバ/銅ケーブルのアセンブリ方法である。【選択図】図３１
2008537295.tif 000002
【特許請求の範囲】
【請求項１】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣り合う内部領域に設けられた、少なくとも１つのファイバ オプティック アダプタと、前記対になる端部に隣り合う内部領域に設けられた少なくとも１つの電気的ピンコネクタと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部と、
前記ケーブル エントリ端部と前記アダプタとの間に位置する内部領域におけるケーブルマネジメント構成を含む前記ハウジングと、
を有するハイブリッド ファイバと電気ケーブルのコネクタ。
【請求項２】
前記ハウジングは２つの同一のハウジング部分から形成される請求項１に記載のコネクタ。
【請求項３】
前記ハウジングは内側ハウジングであり、前記内側ハウジングは外側ハウジング内に配置されている請求項２に記載のコネクタ。
【請求項４】
前記ハイブリッド ファイバ/同ケーブルは一対のオプティカル ファイバと２対の電気ワイアを有し、前記ハイブリッド ファイバ及び電気ケーブル コネクタは各オプティカル ファイバと各電気ワイアのためのピンコネクタを有するアダプタを有している請求項１に記載のコネクタ。
【請求項５】
前記内部領域の前記ケーブルマネジメント構成は一対のポストを有し、前記ポストの回りに前記オプティカル ファイバ又は電気ワイアが前記ケーブル エントリと前記アダプタとの間に延在する請求項１に記載のコネクタ。
【請求項６】
前記ハウジングの前記ケーブル エントリ端部はケーブル クランプを有し、同ケーブル クランプは、前記ハイブリッド ファイバ/銅ケーブルが前記ハウジングの前記ケーブル エントリ端部を通って延びるように、ハイブリッド ファイバ/銅ケーブルの回りにフィットし、固定されてもよい請求項１に記載のコネクタ。
【請求項７】
前記ハウジングの内部領域はスロットを有し、前記アダプタ フランジを有し、前記対になる端部の隣の内部領域に前記アダプタを配置するように、前記アダプタの前記フランジはスロット内に受け入れられる請求項１に記載のコネクタ。
【請求項８】
前記ピンコネクタは、前記対になる端部と前記アダプタに隣接する内部領域にピンコネクタを配置するために前記スロット内部に受け入れられるフランジを有する請求項７に記載のコネクタ。
【請求項９】
各ハウジング部分は前記内部領域にケーブルマネジメント構成を有する請求項１に記載のコネクタ。
【請求項１０】
更に、各ハウジング部分の前記ケーブル マネジメント構成に嵌合する前記ケーブル リテーナを有する請求項９に記載のコネクタ。
【請求項１１】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣接する内部領域に設けられた少なくとも１つの電気ピンコネクタと前記対になる端部に隣り合う内部領域に設けられた１つのファイバ コネクタ リテーナであって、前記ファイバ コネクタ リテーナは前記対になる端部に隣り合う内部領域の部分を横切って延び、ファイバ オプティク コネクタを設けるために少なくとも１つの開口を有し、フィバー オプティック コネクタにより保持されるオプティカル ファイバの終端は前記対になる端部を介してアクセス可能であるコネクタ リテーナと、前記ファイバ コネクタ リテーナに隣接して設けられた、少なくとも１つの電気ピンコネクタであって、電気ワイアの端部は電気ピンコネクタにより保持され、前記対になる端部を介してアクセス可能である電気ピンコネクタと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部と、
前記ケーブル エントリ端部と前記ファイバ コネクタ リテーナとの間に位置する内部領域におけるケーブル マネジメント構成を含む前記ハウジングと、
を有するハイブリッド ファイバと電気ケーブルのコネクタ。
【請求項１２】
前記ハウジングは、外表面を持つ２つの内側ハウジング部分から形成される内側ハウジングであり、内側ハウジングは外側ハウジングの開口内に配置されており、外側ハウジングの開口は内側ハウジングの周りに密接してフィットする内壁をもち、２つの内側ハウジング部分を共に保持する請求項１に記載のコネクタ。
【請求項１３】
前記ハウジングは２つの同一のハウジング部分から形成される請求項１１に記載のコネクタ。
【請求項１４】
前記内部領域でスロットに嵌合することにより前記ファイバ コネクタ リテーナがハウジングの内部領域に設けられている請求項１１に記載のコネクタ。
【請求項１５】
前記ピンコネクタは前記ハウジングの内部領域にスロットに嵌合するタブを有する請求項１４に記載のコネクタ。
【請求項１６】
前記内部バルクヘッドはハウジングの内部領域において、前記対になる端部に向かってスロットに隣接した位置に配置され、前記バルクヘッドは少なくとも前記リテーナの１つの開口内に保持されているファイバ コネクタが前記対になる端部からハウジングの内部領域に押し出されないように構成されている請求項１４に記載のコネクタ。
【請求項１７】
第１ハイブリッド ファイバ/銅通信ケーブルの端部に設けられている第１ケーブル コネクタであって、少なくとも１つのオプティカル ファイバと少なくとも一対の銅ワイアを有し、前記第１ケーブル コネクタは、前記第１ハイブリッド ファイバ/銅通信ケーブルの少なくとも１つのオプティカル ファイバと銅ワイアのための終端を有する第１ハイブリッド ファイバ/銅通信ケーブルと、
第２ハイブリッド ファイバ/銅通信ケーブルの端部に設けられている第１ケーブル コネクタであって、少なくとも１つのオプティカル ファイバと少なくとも一対の銅ワイアを有し、前記第２ケーブル コネクタは、前記第２ハイブリッド ファイバ/銅通信ケーブの少なくとも１つのオプティカル ファイバと銅ワイアのための終端を有する第２ハイブリッド ファイバ/銅通信ケーブルと、
第１と第２のケーブル コネクタであって、各々は対になる端部を有するハウジングを有しており、第１と第２のケーブル コネクタのハウジングの対になる前記端部は互いに嵌合するように構成されており、第１ケーブル コネクタのファイバ終端は第２ケーブル コネクタのファイバ終端と光学的に接続しており、第１ケーブル コネクタのワイア終端は第２ケーブル コネクタのワイア終端と電気的に接続している第１と第２のケーブル コネクタと
内部領域を規定するハウジングを有する各ケーブル コネクタであって、前記内部領域においては、各ケーブル コネクタはケーブル マネジメント構成を有しているケーブル コネクタと、
を有しているハイリッド通信ケーブル コネクタシステム。
【請求項１８】
第１と第２ケーブル コネクタの各々におけるファイバ終端はファイバ コネクタであり、第１ファイバ コネクタはファイバ アダプタを有しており、このファイバアダプタは前記第１ケーブル コネクタのファイバ コネクタを持つ対になる端部を通してアクセス可能であり、
前記第１ケーブル コネクタは前記ファイバ アダプタの１つの側に挿入され、前記第２ファイバ ケーブルのファイバ コネクタは前記ファイバアダプタの反対の側に挿入されている、請求項１７に記載のコネクタシステム。
【請求項１９】
各第１と第２のケーブル コネクタ内の複数ワイア終端はピンジャックを有しており、前記第１ケーブル コネクタのピンジャックにおけるワイア終端は第２ケーブル コネクタのピンジャックのワイア終端に電気的に接続している請求項１７に記載のコネクタシステム。
【請求項２０】
各ケーブル コネクタの内部領域における前記ケーブルマネジメント構成は少なくとも２つのポストを有し、その周辺に前記ハイブリッド ファイバ/銅通信ケーブルの１つのオプティカル ファイバと銅ワイアが延在している請求項１７に記載のコネクタシステム。
【請求項２１】
対になる端部とケーブル エントリ端部とを有するハウジングを持つコネクタであって、前記ハウジングは、ハウジングの残りの内部領域を曝すように取り外し可能な部分を有していることを特徴とするコネクタと、
前記ハウジングの残りの内部領域に位置してしるケーブルスプールと、
前記ハウジングの前記ケーブル エントリ端部を通って延び、前記ハウジングの残りの内部領域を通って前記対になる端部に延びており、前記ケーブルは前記ケーブルスプールの周りに延びているケーブルと、
を有している通信ケーブルとコネクタ。
【請求項２２】
対になる端部とケーブル エントリ端部とを有するハウジングを持つであって、前記ハウジングは、ハウジングの残りの内部領域を曝すように取り外し可能な部分を有していることを特徴とするコネクタと、前記ハウジングの残りの内部領域に位置してしるケーブルスプールを提供し、
前記ハウジングの前記ケーブル エントリ端部を通って延び、前記ハウジングの残りの内部領域を通って前記対になる端部に延びており、前記ケーブルは前記ケーブルスプールの周りに延びているケーブルを通すことを含む、通信ケーブルとコネクタを使う方法。
【請求項２３】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣り合う内部領域に設けられた、少なくとも１つのファイバ オプティック アダプタと、前記対になる端部に隣り合う内部領域に設けられた少なくとも１つの電気的ピンコネクタと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部とを有するハイブリッド ファイバと電気ケーブル コネクタ（a hybrid fiber and electrical cable connector）であって、
前記ハウジングは外表面を有する内側ハウジングであり、前記内側ハウジングは管状の外側ハウジングの開口に配置されて、前記外側ハウジングの開口は内側ハウジングの周りに緊密にフィティングしている内部壁を有していることを特徴とするハイブリッド ファイバと電気ケーブル コネクタ。
【請求項２４】
前記ハイブリッド ファイバ/銅ケーブルは一対のオプティカル ファイバと二対の電気ワイアを有し、前記ハイブリッド ファイバと電気ケーブル コネクタは各オプティカル ファイバと電気ワイアのピンコネクタのためのアダプタを有している請求項２３に記載のコネクタ。
【請求項２５】
前記内側ハウジングの前記ケーブル エントリはケーブル クランプを有しており、該ケーブル クランプは、ハイブリッド ファイバ/銅ケーブルが前記内側ハウジングの前記ケーブル エントリを通って延びているように、ハイブリッド ファイバ/銅ケーブルの回りにフィットし固定されてもよい請求項２３に記載のコネクタ。
【請求項２６】
前記内側ハウジングの前記内部領域はスロットを融資、前記アダプタはフランジを有し、前記アダプタのフランジは前記スロット内に受け入れられ、前記対になる端部に隣接する内部領域に前記アダプタを配置する請求項２３に記載のコネクタ。
【請求項２７】
前記ピンコネクタは、前記ピンコネクタを前記対になる端部に隣接する内部領域とアダプタに配置するために、前記スロットに受け入れられるタブを有する請求項２６に記載のコネクタ。
【請求項２８】
前記内側ハウジングは２つの同一の這う陣部部分から形成されている請求項２３に記載のコネクタ。
【請求項２９】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣接する内部領域に設けられた少なくとも１つの電気ピンコネクタと前記対になる端部に隣り合う内部領域に設けられた１つのファイバ コネクタ リテーナであって、前記ファイバ コネクタ リテーナは前記対になる端部に隣り合う内部領域の部分を横切って延在し、ファイバオプティクコネクタを設けるために少なくとも１つの開口を有し、フィバー オプティック コネクタにより保持されるオプティカル ファイバの終端は前記対になる端部を介してアクセス可能であるコネクタ リテーナと、前記ファイバ コネクタ リテーナに隣接して設けられた、少なくとも１つの電気ピンコネクタであって、電気ワイアの端部は電気ピンコネクタにより保持され、前記対になる端部を介してアクセス可能である電気ピンコネクタと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部と、
を有するハイブリッド ファイバと電気ケーブル コネクタであって、
前記ハウジングは外表面を有する内側ハウジングであり、前記内側ハウジングは管状の外側ハウジングの開口に配置されて、前記外側ハウジングの開口は内側ハウジングの周りに緊密にフィティングしている内部壁を有していることを特徴とするハイブリッド ファイバと電気ケーブル コネクタ。
【請求項３０】
前記内側ハウジングは２つの同一のハウジング部分から形成されている請求項２９に記載のコネクタ。
【請求項３１】
前記ファイバ コネクタ リテーナは、前記内部領域内のスロットに嵌合することにより内側ハウジングの内部領域に設けられている請求項２９に記載のコネクタ。
【請求項３２】
前記ピンコネクタは前記内側ハウジングの内部領域における前記スロットに嵌合するタブを有する請求項３１に記載のコネクタ。
【請求項３３】
内部バルクヘッドは、前記内側ハウジングの前記内部領域にある前記スロットに隣接して、前記対になる端部に向かって位置し、前記バルクヘッドは前記リテーナの少なくとも１つの開口内に保持されているファイバ コネクタを前記対になる端部から前記内側ハウジングの前記内部領域に押し込まれないように構成されていることを特徴とする請求項３１に記載のコネクタ。
【請求項３４】
前記内側ハウジングの前記ケーブル エントリ端部は、ケーブル クランプを有し、該ケーブル クランプは、ハイブリッド ファイバ/銅ケーブルが前記内側ハウジングの前記ケーブル エントリを通って延びているように、ハイブリッド ファイバ/銅ケーブルの回りにフィットし固定されてもよい請求項２９に記載のコネクタ。
【請求項３５】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣り合う内部領域に設けられた、少なくとも１つのファイバ オプティック アダプタと、前記対になる端部に隣り合う内部領域に設けられた少なくとも１つの電気的ピンコネクタと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部と、
を有するハイブリッド ファイバと電気ケーブル コネクタであって、
前記ハウジングの前記内部領域はスロットを有しており、前記アダプタはフランジを有し、前記アダプタのフランジは前記スロット内に受け入れられ、前記アダプタを前記対になる端部に隣接する前記内部領域内に前記アダプタを配置し、
前記ピンコネクタは、前記スロット内に受け入れられるタブを有し、前記対になる端部に隣接した前記内部領域と前記アダプタ内前記ピンコネクタを配置し、
前記ハウジングは２つの同一のハウジング部分から構成されているハイブリッド ファイバと電気ケーブル コネクタ。
【請求項３６】
前記ハイブリッド ファイバ/銅ケーブルは一対のオプティカル ファイバと二対の電気ワイアを有し、前記コネクタは各オプティカル ファイバと各電気ワイアのピンコネクタのためのアダプタを有している請求項３５に記載のコネクタ。
【請求項３７】
前記内側ハウジングの前記ケーブル エントリはケーブル クランプを有しており、該ケーブル クランプは、ハイブリッド ファイバ/銅ケーブルが前記内側ハウジングの前記ケーブル エントリを通って延びているように、ハイブリッド ファイバ/銅ケーブルの回りにフィットし固定されてもよい請求項３５に記載のコネクタ。
【請求項３８】
対になる端部とケーブル エントリ端部を有するハウジングであって、前記対になる端部からケーブル エントリ端部に延びる開口を有する内部領域を形成するように取り外し可能に設けられた、２つのハウジング部分から形成されたハウジングと、
前記対になる端部に隣接する内部領域に設けられた少なくとも１つの電気ピンコネクタと、前記対になる端部に隣り合う内部領域に設けられた１つのファイバ コネクタ リテーナであって、前記ファイバ コネクタ リテーナは前記対になる端部に隣り合う内部領域の部分を横切って延び、ファイバ オプティック コネクタを設けるために少なくとも１つの開口を有し、フィバー オプティック コネクタにより保持されるオプティカル ファイバの終端は前記対になる端部を介してアクセス可能であり、前記ハウジング内のスロットに嵌合することにより前記ハウジングの前記内部領域内に設けられる個々の部品であり、少なくとも１つの電気ピンコネクタが前記ファイバ コネクタ リテーナに隣接して設けられ、電気ワイアの端部は電気ピンコネクタにより保持され、前記対になる端部を介してアクセス可能であるファイバ コネクタ リテーナと、
外部のハイブリッド ファイバと電気ケーブルのコネクタから内部領域にハイブリッド ファイバ/同ケーブルを受け入れるように構成されたハウジングのケーブル エントリ端部であって、前記ハイブリッド ファイバ/同ケーブルは少なくともオプティカル ファイバと少なくとも一対の電気ワイアを含むことを特徴とするケーブル エントリ端部と、
を有するハイブリッド ファイバと電気ケーブル コネクタ。
【請求項３９】
前記内側ハウジングは２つの同一のハウジング部分から形成されている請求項３８に記載のコネクタ。
【請求項４０】
前記ピンコネクタは前記内側ハウジングの内部領域の前記スロットに嵌合するタブを有する請求項３８に記載のコネクタ。
【請求項４１】
内部バルクヘッドは、前記ハウジングの前記内部領域にある前記スロットに隣接して、前記対になる端部に向かって位置し、前記バルクヘッドは前記リテーナの少なくとも１つの開口内に保持されているファイバ コネクタを前記対になる端部から前記内側ハウジングの前記内部領域に押し込まれないように構成されていることを特徴とする請求項３８に記載のコネクタ。
【請求項４２】
前記内側ハウジングの前記ケーブル エントリ端部は、ケーブル クランプを有し、該ケーブル クランプは、ハイブリッド ファイバ/銅ケーブルが前記ハウジングの前記ハイブリッド ファイバ/銅ケーブル エントリを通って延びるように、ハイブリッド ファイバ/銅ケーブルの回りにフィットし固定されてもよい請求項３８に記載のコネクタ。
【請求項４３】
前記ファイバ コネクタ リテーナは２つの開口を有し、各々の開口はファイバ オプティック コネクタを設けるためのものである請求項３８に記載のコネクタ。
【発明の詳細な説明】
【技術分野】
【０００１】
本発明は通信ケーブルのための接続に関する。特に、本発明はハイブリッドファイバ/銅コネクタ システムと方法に関する。
【背景技術】
【０００２】
装置に電力を供給し、装置とデータのやり取りをするために、ポータブルカメラ及び‘データ又は画像収集装置’にケーブルを設けることは公知である。これら装置は画像又はデータ収集能力が向上するに従って、装置とデータのやり取りをするためにバンド幅に対する要求が高まってきた。バンド幅を増加させる１つの方法は、装置とのデータのやり取りのために光ファイバを使用することである。
【発明の開示】
【発明が解決しようとする課題】
【０００３】
しかしながら、光ファイバは装置に対し電力を供給することができない。そこで装置に接続するために銅又は他の金属ワイアを持つことが好ましい。銅と光ファイバを単一のケーブル内に持つハイブリッドケーブルが、これら装置の電力伝送とデータ伝送のニーズに対応して使用されてきた。銅・ファイバケーブルを終端処理しコネクタ化（connectorizing）するための技術と装置は全く異質であるので、このようなハイブリッドケーブルを接続する新規なコネクタ又は方法が開発されてきた。これら公知のコネクタはケーブルと装置の間接続（interconnection）を可能にするが、ケーブル又はコネクタの１つが故障した場合、全コネクタの取替えが必要である。共通ハイブリッドケーブルは２つ又はそれ以上の光ファイバ及び１つまたはそれ以上の銅のペアを有する。仮にこれらワイア又は光ファイバのどれかが、又はこれらワイア又は光ファイバの終端が故障した場合、全コネクタが取替えられ、全部のワイアとファイバが再終端処理される。
ハイブリッドコネクタの改善が求められている。
【課題を解決するための手段】
【０００４】
＜サマリ＞
本発明は広くハイブリッド ファイバ/銅コネクタに関係する。特に、本発明はジャンクション ボックスとハイブリッド ファイバ オプティック・ケーブルに関する。これらは、全ケーブルセンブリの取替え又はケーブルの再終端処理をせずに、ハイブリッドファイバ／銅ケーブルで形成される故障したファイバ又は銅線の修理を可能にする。本発明はハイブリッドファイバ／銅ケーブル用のコネクタに関する。更に本発明はハイブリッドファイバ／銅ケーブル及びコネクタの修理方法に関する。
【０００５】
明細書に組み込まれ、明細書の一部分を構成する図面は、詳細な説明と共に本発明の複数の合うアスペクトを説明し、本発明の原理を説明するのに役立つ。
【発明を実施するための最良の形態】
【０００６】
図面で示した本発明の例示について参照符号を付記した。図面を通して、同一又は類似のパーツには、出来るだけ同一の参照符号を使用した。
【０００７】
図１はハイブリッドファイバ／銅放送通信ケーブルの複数のセグメントを表わす。これらはスポーツイベント又は他の娯楽会場における製造施設（production facility）にカメラを接続するのに使用される。ケーブルのセグメントを図１に示す。このケーブルは製造施設から延長され第１ケーブルコネクタ13で終端する第１セグメント10を有している。コネクタ13は第２ケーブルセグメント14で終端する第２ケーブルコネクタ11と接合している。ケーブルセグメント14はジャンクション ボックス16の１つの終端から延びており、第３ケーブルセグメント18は他の終端から延びている。ケーブルセグメント18は第３ケーブルコネクタ19（第１コネクタ13と類似）で終端している。ケーブルコネクタ19は、バルクヘッド22に位置するバルクヘッドに設けられたコネクタ20と接続されるように構成されている。バルクヘッドはカメラの部分を構成する。第２と第３のケーブルセグメント１４，１８は、第２と第３のコネクタ11と19、ジャンクション ボックス16と共に、カメラ接続アセンブリ24を構成する。カメラの操作者はこれを、例えばベルトに取り付け持ち運ぶ。操作をするときには、肩掛け又は他の携帯又はモバイルカメラ構成であってもよい。
【０００８】
カメラを放送用ケーブルに接続するための公知のアセンブリは、単一部品（component）のコンポーネントが無い場合新規なアセンブリを使うことが必要になる。代わりとして、コネクタ内に接点が無い場合、ケーブルセグメントの１つの再接続が必要になる。後記するように、ジャンクション ボックス16との結合において、コネクタ11と19はアセンブリ24の故障部品の修理、取替えを容易にする。ジャンクション ボックス16とコネクタ11との間のセグメント14に沿った破線で置換ファイバ200が示される。これについては下記に詳しく説明する。
【０００９】
図２を参照すると、ジャンクション ボックス16は第１端部28と第２端部30を含む。各端部にケーブル エントリフィティング（cable entry fitting）32が存在し、ケーブルセグメント14と18がジャンクション ボックスに入るのを許容する。複数フィティング32は複数ケーブルセグメント14と18の回りにシールを提供し、ジャンクション ボックス16に環境汚染物質が入り込むのを防止している。ジャンクション ボックス16は、取外し可能なカバー34を持つハウジング26を有している。同カバーは、ジャンクション ボックス16内の部品の修理と取替えのためにジャンクション ボックス16の内部領域にアクセスすることを許容している。
【００１０】
図３を参照すると、ジャンクション ボックス16のハウジング26はメインハウジング36を有している。同ハウジングはカバー34と共に内部領域38を規定するもので、内部領域38では種々の部品がファイバ ストランド（fiber strands）並びにケーブルセグメント14と18の銅線を接続している。フィティング32は同一の半部品（halves）33の対を有している。同半部品はケーブルセグメント14と18の回りに密接に適合する。それらが内部領域38からセグメント14と18へ追加のケーブルを延長する場合には、別のフィティング構成32がとられる。
【００１１】
内部領域38内において、一対のアンカー46を設け、リニアストレングス部材を受けいれ、固定してもよい。同部材はケーブルセグメント14と18の２つの間に延在するものである。また、バルクヘッド48は、その上に設けられたファイバ オプティック アダプタ50と共に内部領域38に設けられている。ファイバ オプティック アダプタ50は各端部において２つのファイバ オプティック コネクタ52を受け入れるように構成されている。公知のアダプタ50は標準ファイバ オプティック アダプタで複数対のコネクタ52を整列し光学的に接続するものである。また、公知のアダプタ52はケーブルセグメント14と18の端部に設けられ、同セグメントの間に延在するオプティックファイバを終端させる。示されているように、コネクタ52はＬＸ.5フォーマットコネクタであり、アダプタ50はＬＸ．５コネクタを受け入れ、光学的に接続するものである。別のスタイルとタイプの複数のファイバ オプティック コネクタと対になる複数のアダプタはジャンクション ボックス16内で使用してもよい。又、一対のピンコネクタ54と56が内部領域38に存在してもよい。これらコネクタは銅線を終端させ、これら銅線を電気的に接続する。この銅線はケーブルセグメント14と18の間に延在するものである。別のタイプとスタイルのコネクタは銅線を接続するもので、ジャンクション ボックス16内部で使用されてよい。内部領域38は１つまたはそれ以上のケーブルルーティングフィーチャ58を含んでおり、ジャンクション ボックス16内でオプティカル ファイバと銅線の位置決めを補助する。
【００１２】
図４はハイブリッドファイバ/銅通信ケーブル100の概略的な断面図である。これはケーブルセグメント10,14及び18のために使用される。ケーブル100は外側シース（sheath）60を有しており、又、リニアに延在する中央補強部材62を含んでもよい。開示されているように、ケーブル100は一対の被覆オプテイカルファイバ64と４つの被覆銅線66を有している。これらは外側シース60と延在する隣接補強部材62との間に存在する。より多い又はより少ないオプティカル ファイバ及び/又は銅線を持つハイブリッドケーブルの別の構成は公知である。上記の放送用カメラ環境で使用される場合、オプティカル ファイバ64の１つがビデオ信号と関係するオーディオ信号をカメラに送信するのに使ってもよい。又、第２のオプティカル ファイバ64はカメラにより捕捉されたビデオとオーディオ信号を製作現場又は他の現地に送信するのに使用してもよい。銅線66の１対を使ってカメラを操作させる電力を提供してもよい。その場合、他の銅線の対66を使って、製作現場とカメラオペレータとの間の通信を提供してもよい。ケーブル100内に延在するファイバ ストランドと銅線の数はカメラの所望の使用法と通信帯域をサポートする必要性によって変更してもよい。
【００１３】
図５と６には、コネクタ11により終端する第１ケーブルセグメント10が示されている。コネクタ１１はコネクタ13と対になるもので、図１に示されるようにコネクタ13は第２ケーブルセグメント14を終端させる。コネクタ11と13は共同してケーブルセグメント10のファイバ ストランド64をケーブルセグメント14のファイバ ストランドに接続し、ケーブルセグメント10の銅線66をケーブルセグメント14の銅線66に電気的に接続する。これら２つのコネクタは共同して、ファイバ ストランドと銅線の接続の回りに安定した耐天候カバー12を形成する。図に示されるように、コネクタ11は雄コネクタ又はプラグコネクタで、コネクタ13は雌コネクタ又はソケットコネクタである。
【００１４】
図７は、一対のファイバ オプティック コネクタ52を有するコネクタ11と13を示す。同ファイバ オプティック コネクタ52は、各ケーブルセグメント10及び14内のファイバ ストランド64を終端させる。これらコネクタは一緒にされ、ライン化され、コネクタ１３内に設けられるアダプタ50により光学的に接続される。各銅線66はピンコンタクト68により終端され、これらピンコンタクト68はコネクタ１１内に設けられており、ピンコネクタ54はコネクタ13内に設けられている。コネクタ11は２つのハウジング部分102と104により規定される外側ハウジングを有している。コネクタ13は２つのハウジング部分106と108により規定されている。
【００１５】
図８乃至１１を参照すると、コネクタ20に設けられているバルクヘッドは２つのハウジング部分110と112により規定される外側ハウジングを有している。ハウジング部bン110と112は中央空胴部74を規定している。その中には２つのコネクタ52と１つのピンコネクタ56が設けられている。ハウジング部分110と112は外部バレル部分76を規定する。同部分はコネクタ13内に挿入するための大きさとなっている。バレル部分76は一対の対向タブ70を有しており、コネクタ13を取り外し可能にバレル部分76の回りに取り付けることができる。そして、アラインメントフィーチャ72がコネクタ13の組合せ特徴部分と嵌合してコネクタ13を適正に方向付けされ、コネクタ20と組み合わせられる。各ハウジング部分110と112はフランジ78を有している。フランジ78を通して開口82が作られ、バルクヘッド22の止め具開口84と嵌合するためのネジ80のような取り外し可能な止め具を受け入れる。開口84はバルクヘッド22の開口86の回りに配置される。開口はバレル部分76の反対側のコネクタ後部分88を受け入れる大きさである。
【００１６】
各ハウジング部分110と112は、空洞部分(cavity)74のケーブル受け入れ端部90を有している。前記ケーブル受け入れ端部は後部分88に隣り合っている。カメラ又は他の装置内部からのケーブルはケーブル受け入れ端部90を通って空胴部分74にはいる。カメラ又は他の装置のバルクヘッド22はケース、容器、又はキャビネットの一部分であってもよい。ハウジング部分110と112の構成の追加的特徴は図16乃至図19で示すコネクタ11のハウジング部分102と104の特徴と同様である。
【００１７】
図１２と１３を参照すると、フランジ78を除けば、コネクタ11はコネクタ20と同一の外的特徴を有している。コネクタ11はフリー スタンディング(freestanding)ケーブルの端部に設けるためのものである。従って、バルクヘッド22にマウントするためのマウンティング用フランジは必要ではない。コネクタ11はグリップ部分92を有し、保持用コネクタ11がコネクタ11と13との間のシール12を破壊するのを容易にする。
【００１８】
図１４と１５は、バレルを受け入れる端部７７を示している。この端部にコネクタ11又はコネクタ20のバレル部分76が受け入れられる。バレル受け入れ端部77はハウジング部分106と108により規定される空洞部分75への入り口を規定する。アダプタ50とピンコネクタ54は空胴部分75内に設けられる。バレル受け入れ端部77を通る一対の開口96は、コネクタ11又は20のタブ70のキャッチ(catch)98に嵌合するように配置され、コネクタ13内のバレル部分76を取り外し可能に保持できる。一対のタブ リリース アーム71は開口76の上部に位置し、各アームはタブリリース94を有している。タブ リリース アーム71は内側に可撓である。タブ リリース94は内側に曲げられたときに、開口96を通して開口96からタブ70を曲げ、その結果、バレル部分76はバレル受け入れ部分77から取り外すことができる。バレル受け入れ部分77と空洞部分75の内側にはアラインメント フィーチャ73があり、これはバレル部分76のアラインメント フィーチャ72と共同して組合せるコネクタの方向を整える。
【００１９】
アラインメント フィーチャ72と73により適正に向きが整えられると、コネクタ13はコネクタ11又は20と嵌合する。その際、ファイバ コネクタ52はアダプタ50に延長されるように整列され、ファイバ ストランド64に光学的に接続され、ピンコネクタ54と56は整列され組合せられ、電気的に銅線66に接続される。図７に示すように、コネクタ13の空胴部分75内において、ケーブル14のファイバ ストランド64を終端する一対のファイバ コネクタ52は、アダプタ50の内端部に配置されている。コネクタ11と13との嵌合によりアダプタ50に挿入するとき、コネクタ11のファイバ コネクタ52はコネクタ13のファイバ コネクタ52と光学的に接続される。
【００２０】
図１６乃至１８を参照すると、コネクタ11のハウジング部分104には凹部126がある。凹部は、コネクタ開口127と反対端部にあるケーブル開口と共に空胴部分74の部分を規定している。凹部126の１つの側には補強部材凹部114と止め具開口116が存在し、止め具を受け入れ、ケーブル100の補強部材62を固定する。一対のアラインメントピン118は内部面130から延び、ハウジング部分102と104の位置決めを助け、これらを結合してコネクタ11を形成する。複数の止め具開口120が面に形成されており、止め具を受け入れ、ハウジング部分102と104とを結合させる。凹部126はコネクタ開口127に隣接している縦のバルクヘッド128を有している。コネクタ開口は一対の隣接スロットを規定し、ファイバコネクタ52を受け入れている。或いは、下記に説明するように、ハウジング部分102がハウジング部分104に類似したケーブルクランプ搭載装置を有している構成であってもよい。
【００２１】
図１９乃至２１は、ピン開口122を持つハウジング部分102を表わしている。前記開口は複数のアラインメントピン118と共同してハウジング部分102と104を整合させるように配置されている。開口120は、ハウジング部分104の開口120を通って延びている複数の止め具を受け入れるように配置されている。凹部124は内部面140の上に配置されて、ケーブルクランプが凹部114と開口116に位置されるようになっている。ケーブル100の補強部材62は凹部114と、例えばネジのような止め具を有するケーブルクランプ内に適合するように調整されることができる。前記ネジは開口116内に設けられ、コネクタ11をケーブル100に固定する。或いは、このようなアンカーが要求されない場合は、ハウジング部分102は凹部114と開口116を含まなくてもよい。凹部131はケーブル エントリ90と反対端部のコネクタ開口134との間に延在する。複数のフィンガー136は凹部132内に延び、ケーブル100からピンコネクタ56に延びる銅線66を束ねる。ピンコネクタが設けられる領域138はピン136のコネクタ開口側で規定される。
【００２２】
図１２と１３で示されるように凹部126と132が一緒に設けられる場合は、凹部はコネクタ11内で共同して空胴部分74を形成している。
【００２３】
図２２乃至２４はコネクタ13のハウジング部分108を表わしている。同コネクタはコネクタ受け入れ開口144から反対側のケーブル エントリ90へ延びている凹部142を有している。凹部142には、アダプタ受け入れ領域146がコネクタ受け入れ開口144の隣に存在している。アダプタ受け入れ領域146はアダプタ50の回りに密接してフィットするような大きさで、両側にフランジ凹部148を有し、アダプタ50のフランジと嵌合して凹部142内の所望の位置にアダプタ50を固定する。或いは、上記の通りの、ハウジング部分108は凹部114とハウジング部分104の開口116に類似したケーブルクランプ搭載装置を有している構成であってもよい。
【００２４】
図２５乃至２７は、コネクタ受け入れ端部144からケーブル エントリ90に延びる凹部152を有するコネクタ13のハウジング部分106を表わしている。凹部152は複数のフィンガ154であり、ピンコネクタ搭載領域はフィンガ154とコネクタ受け入れ端部144との間に規定される。フィンガ154はケーブル100の銅線66を束ね、方向付けし、コネクタ13内でピンコネクタ54を正確に配置するのに役立つ。その結果ピンコネクタ54は組みになるコネクタ11のピンコネクタ56に嵌合する。ハウジング部分106の内部の面160は複数の止め具開口120を有し、ハウジング部分108の開口120を通って延びている止め具を受け入れて、2つのハウジング部分を保持し、コネクタ13の外側ハウジングを形成することができる。或いは、ハウジング部分106は、上記したように、凹部114とハウジング部分104の開口116に類似したケーブルクランプ搭載装置を有している構成であってもよい。
【００２５】
図１４と１５で示されるように凹部142と152が一緒に設けられる場合は、凹部はコネクタ13内で共同して空胴部分75を形成している。
【００２６】
コネクタ11と13は、二つ又はそれ以上の部分（取り外し可能で、コネクタの内部空胴部分をさらすことができる）を持つ外側ハウジングと共に形成されることが好ましい。また、コネクタ11と13のケーブル エントリ90並びのジャンクション ボックス16のケーブルフィッティング32が、ケーブル100の外側シース60の直径より僅かに大きくされていることが好ましい。セグメント14又は18におけるケーブル100内の１つ又はそれ以上の要素64と66又はこれら要素（ファイバコネクタ52及びピンコネクタ54と56）を終端するコネクタが損傷を受けたとき、アセンブリ24の修理又は取替えを必要とする。或いは、損傷した終端52,54または56を修理するためには、ジャンクション ボックス16から延びている、ケーブルセグメント14又は18のコネクタ11又は13は取り外しされることができ、ケーブルセグメントは再終端されることができる。しかしながら、再終端は時間のかかる作業で、カメラを使う間に損傷が起こりやすい野外で実行することは困難である。ケーブル100の個別要素64又は66或いはこれら要素の終端52、54、56が野外でカメラ操作者が、大量の取替え用の道具を運ばずに、簡単な道具で迅速に取替えが出来るようにアセンブリ24は構成されている。
【００２７】
ケーブルセグメント18のファイバ ストランド64の１つが損傷を受け、カメラ操作者が損傷を受けたストランドを見つけたとき、カメラ操作者は主ハウジング28からかb-34を取り、ジャンクション ボックス16を開くことができる。内部領域38が現れると、損傷を受けたファイバを終端しているファイバコネクタ52がジャンクション ボックス16内にあるアダプタ50から取り外しされ、１つの側に移動される。
図28に示されている取替え用ファイバセグメント200はコネクタ52で終端されている端部を有している。これらコネクタ52の１つは損傷を受けたファイバ64のコネクタ52に代えて、アダプタ50内に挿入されてもよい。ケーブルフィティング32の上部半分33はケーブル100、及び、取り替え用ファイバ200の複数コネクタ52の間のケーブルレングス（cable length）202の周りから取り外しされる。前記取り替え用ファイバ200はケーブルセグメント18に沿ってジャンクション ボックス16から延びている。図に示されるように、取り替え用ファイバ200の複数コネクタ52の間のケーブルレングス202は被覆されたオプティックケーブル（例えば、標準２−３ミリメータファイバケーブル）を有している。このケーブルレングス202は一時的な野外修理用にと考えられ、ケーブルセグメント14又は18の１つに沿って、サポートされて延びているので、通常の被覆に加えて、追加的な補強構造は必要ではない。勿論、ケーブルレングス202内の更に強く保護されたケーブル被覆及び他の補強構造は、アセンブリ24が置かれる状況又はカメラ操作者が容易に利用できる修理材料を考慮すると、便利であり、望ましい。
【００２８】
取り替えようファイバセグメント200はコネクタ13に接続するケーブルセグメント18に沿って延びている。コネクタ13はバルクヘッドコネクタ20から取り除かれ、ハウジング部分106と108を保持している複数止め具（fasteners）が取り外される。ハウジング部分106と108は分離され、ハウジング部分108の凹部142へのアクセスを可能にする。凹部142内で、損傷したファイバ ストランド64を終端しているファイバコネクタ52はアダプタ50から取り外される。このファイバコネクタ52は凹部142から取り外され、コネクタ52に取り替え用ファイバ200の端部を終端するための空間を与える。取り替え用ファイバ200の該コネクタ52はケーブルセグメント18の取り外しされた損傷コネクタ52の代わりにアダプタ50内に挿入される。ケーブルレングス202はケーブル エントリ90からの凹部142内のアダプタ50から延びており、ハウジング部分106と108は共に再結合される。
【００２９】
ケーブルセグメント18のケーブル100の損傷を受けたファイバ ストランド64は取り替え用ファイバ200で取り替えられると、カメラ操作者は続けてカメラを捜査することが出来る。
【００３０】
同様なプロセスで、損傷を受けた銅線又は損傷を受けたピンコネクタは取替えられる。どちらの取替え作業においても、取替え用ファイバ又は取り替え用銅線はジャンクション ボックス16及びケーブルセグメント18に沿った空胴部分74から延びている。この取替え用ファイバ又は銅線はケーブルセグメント18に取り付け、取替えのための支持又は追加的な保護としてもよい。
【００３１】
図２９乃至３１を参照すると、ハイブリッドファイバ/銅ケーブルコネクタ300と302の別の実施例は、コネクタ11と１３の代わりに、ケーブルセグメント14と18の端部に設けられてもよい。各コネクタ300と302は、ケーブルクランプ306を持つケーブル受け入れ端304を有している。ケーブルクランプ306を通してケーブルセグメントの１つが延びている。コネクタ300は雌端部又はソケットコネクタ端部となるケーブル受け入れ端部304の反対側に、組になる端部(a mating end)308を有している。コネクタ302は、コネクタ300の端部308と組するように構成されている雄端部又はプラグコネクタ端部となるケーブル受け入れ端部304の反対側に、組になる端部310を有している。ロッキング リング（locking ring）312はケーブル対端部308,310の周りに回転可能に設けられており、２つのコネクタを相互に取り外し可能にロックしている（図32,33の下部を参照されたい）。
【００３２】
図３０には、コネクタ300が詳細に示されている。外側ハウジング314は内部領域320を含んでいる。内部領域320には、一対の内側ハウジング半体（housing halves）316が配置されている。内側ハウジング半体316は共同して内部領域318において内側ハウジングを形成している。内部領域318において、一対のファイバ オプティック コネクタ52が配置されている。これはケーブル１１又はケーブル１３内のオプティカル ファイバの端部を終端している。コネクタレテーナ（connector retainer）323は内部領域318内のバルクヘッドと共同して対になる端部（mating end)308に隣接する複数ファイバコネクタ52の位置決めをし、保持する。１つの電気ピンジャック ハウジング322がファイバコネクタ52の反対側に位置している。ピンジャック ハウジング322は対になる端部308を介してアクセス可能であり、ケーブル１１又はケーブル13において電線の終端を与える。ケーブル リテーナ324は内部領域318内のケーブル マネジメント構造326と共同して、ケーブル受け入れ端304を介して延びるファイバ又は電線に対してケーブル マネジメント及びケーブル スラック ストアレッジ（cable slack storage）を提供する。ケーブル受け入れ端304において、ケーブルクランプは外側ハウジング314の端部334の周りに設けられ、第１位置328及び第２位置330を有している。１つのＯリング又は類似の物品332はコネクタ300に含まれて、種々の部品の間に改良されたシールを提供する。
【００３３】
図３１を参照すると、コネクタ302は内側ハウジング336を有している。この内側ハウジングは内部領域340を規定する。その内部では一対の内側ハウジング半体338が配置されている。２つのハウジング部分338は共同して内部領域342と共に内側ハウジングを形成する。ファイバ オプティック アダプタ50と一対のファイバ オプティック コネクタ52は内部領域342に配置されており、それらはケーブル11又はケーブル13内のオプティカル ファイバの端部を終端している。通信業界で周知のことであるが、コネクタ52は反対端部のアダプタ50に挿入されて、コネクタ52内で終端するファイバに光学的に接続される。一対の電気ピンジャック ハウジング344がファイバダプタ50の反対側に位置している。ピンジャック344は対を成す端部308を介してアクセス可能であり、ケーブル14又はケーブル18内で導線の終端を提供する。ピンジャック ハウジング322と344は相互に対になって組み合わされ、ピンジャック ハウジング322と344の内で終点する導線を電気的に接続するように構成される。
【００３４】
内部領域342はケーブル マネジメント構造326とケーブル リテーナ324を有して、内部領域342内でケーブルの取扱いと蓄積を補助する。ケーブルクランプ306が外側ハウジング336の端部334に設けられている。ロッキング リング312は、凹部348内で回転可能に受け入れられているワッシャー（washer）346と共同して外側ハウジング336の反対端部に設けられてよい。
【００３５】
図３２と３３は対になる端部308と310において対になるコネクタ300と302を示している。コネクタ300の複数ファイバコネクタ52はアダプタ50に受け入れられており、コネクタ302の複数ファイバコネクタ52と光学的に対になっている。コネクタ300のピンジャック ハウジング322は複数ワイア66の複数ピン68を位置決めし、それらは、コネクタ302の複数ピンジャック ハウジング344内で保持されているハウジングピン68とワイア66と対になって、電気的に接続されている。ロッキング リング312は回転されており、対となる端部308の外側面、及びコネクタ300をコネクタ302に保持するために外側表面上で嵌合した特徴（feature）に沿って移動されている。
【００３６】
ハイブリッドファイバ/銅ケーブル（例えば、ケーブルセグメント14又は18）は内部領域318又は、ケーブルを受け入れる端部304において開口350を介して内部領域318又は342に延びている。複数ファイバ64と複数導体又は複数ワイア66はハイブリッドケーブル10内から分離され、対になる端部308と310に向かってケーブル受け入れ端部304から延びている。必要があれば、ファイバ64又はワイア66の幾つか又は全ては、ファイバコネクタ52又はピンジャック ハウジング322と344における終端に達する目にケーブル マネジメント構造326の回りに向けられていてよい。
【００３７】
上記の通り、ケーブルセグメント14又は18の要素（ファイバ64又はワイア66）はしばしば損傷、ショート、信号伝送の他の故障に起因して取り替える必要がある。取替え要素（例えば、上記のファイバセグメント200）はケーブルセグメント14と同一の長さであるならば、過剰な余裕を持つように取替え用ファイバ200をケーブル マネジメント構造326の回りに導く必要はない。しかしながら、ケーブルセグメント14は以前に終端されていたかもしれず、取替えファイバセグメント200が作成され当初に考えた長さより短い。このケースにおいて、ケーブル マネジメント構造326及びケーブル リテーナ（cable retainer）324は過剰な余裕を持って使用されるので、取替え要素200がケーブルセグメント14と長さがぴったり一致してもよい。
【００３８】
図１に示される種々のケーブル マネジメントを終端するときには、ケーブル マネジメント構造326が使用されてもよい。終端のためにケーブルセグメントから延びているファイバ64又はワイア66は種々の長さであるような状況では、全ての要素が適当な長さであるように、ケーブル マネジメント構造326がより長い要素の過剰な長さを蓄えるように使用してもよい。これは全部の終端がコネクタ300又は302内で正しく位置し、望ましくない要素の湾曲又はねじれが確実に内部領域318又は342で発生しないようにしなければならない。
【００３９】
図３４乃至３９は、ケーブルクランプ端部334の反対側の第２端部352コネクタ300の外側ハウジング314を示している。第２端部352は対を構成する端部308の部分を規定しており、少なくとも１つのピン362を有している。このピンは外側表面及び、内部領域320の内壁360上の少なくとも１つのキースロット364から延びているものである。複数ピン362は、コネクタ302のロッキング リング312と共にロッキング嵌合を提供する。複数キースロット364は、アダプタ50と複数ファイバコネクタ52との、及びピンジャック344とピンジャック322との適正な嵌合のために２つのコネクタ300と302の方向付けを補助する。外側ハウジング314の中央部分354はギザギザを付けたり、スリップしないような表面にしてコネクタ300の保持を手助けする。
【００４０】
複数の対向するレンチ平面（wrench flats）を持つ、レンチ平面部分（wrench flat portion）356はケーブルクランプ端部334に隣接しており、外側ハウジング314とコネクタ300にケーブルクランプ306をアセンブリするのを補助する。図３６に示されるように、ケーブルクランプ端部334にはネジ山が付けられ、ケーブルクランプ部分328を受け入れ嵌合する。内壁360上の内部領域320内に、１つ又はそれ以上の凹部366がケーブルクランプ端部334に隣接している。凹部366は内側ハウジング半体338の1つのタブに嵌合し、お互いに内部及び外側ハウジングを方向付けし、内部及び外側ハウジングの回転を防止している。Ｏリング332を受け入れるために、内部領域320内の内壁360にＯリング溝368が形成される。
【００４１】
図４０乃至４４は、クランプ端部344の反対側の第２端部370コネクタ302の外側ハウジング336を示している。第２反部370は対になる端部310の部分を規定し、外表面から延びる複数のキー372を有している。複数キー372は外側ハウジング314のキースロット364と共同して、対となる端部308と310の適正な組合せのためにコネクタ300と302を独自に方向付けするように構成される。内部領域340は内壁374を有しており、ハイ壁にはケーブルクランプ端部334に隣接して凹部366が形成されている。ケーブルクランプ端部344は複数レンチ平面358を持つレンチ平面部分356を有している。凹部348は中央部分354と第２反部370との間に形成され、ワッシャー346を受け入れている。
【００４２】
次に図４５乃至４７を参照すると、ケーブルクランプ306の第１部分328はリング部分376を含んでいる。リング部分はケーブル受け入れ開口350の回りに連続的に延びている。リング部分７６内の内壁378の上にはハウジング314と336のケーブルクランプ端部に嵌合するためのネジ山がある。レンチ面358が第１部分328の外表面上に形成されて、コネクタ300と302の組み立てを手助けする。リング部分376の反対側には、開放部分（a relieved section）382を持つ外側端部380が存在し、外部端部380は開口350の周りにおいて一般的に連続してはいない。開放部分382は第２部分330を受け入れ、ケーブル14又は18のようなハイブリッドケーブルの回りを固定する。一対の止め具開口384開放部分382の内部に含まれており、止め具を受け入れ、開口350を通して延びるケーブルの回りに第１部分328に第２部分330を堅く取り付ける。円環状凹部388が開口350内で、少なくとも開放部分382内の部分に位置し、開港350内のケーブルの回りに適合するカラー（collar）又は類似の装置を受け入れる。カラーはケーブルの外側直径の変動を許容し、ケーブルクランプ306がケーブルに緊密に嵌合するようにしている。又、コネクタが組み立てられる時Ｏリングを受け入れるために、開口350内で内部ネジ山壁378に隣接して、Ｏリング凹部386が存在する。
【００４３】
図４８乃至５２はケーブルクランプ306の第２部分を表わしている。ケーブルクランプは第１部分328の開放部分内にフィットしている。第２部分330は開口350の一部分を形成しており、第１部分328と共同して、内部領域318又は340にケーブル受け入れ開口350を完全に規定する。第２部分330の内壁上の凹部390は凹部388と共同して、ケーブル14と18の回りに位置するケーブルカラーのために、連続的カラー受け入れ凹部を規定している。外部表面396上には一対の止め具凹部392と複数止め具開口394が存在する。ネジ又は他の取り外し可能な止め具のような止め具は開口394及び第１部分328の嵌合開口を介して延在し、開口350内でケーブルに嵌合させてもよい。凹部392は、止め具用に、一様な一般的に垂直な面を提供している。
【００４４】
図５３乃至５５を参照するとコネクタ302の内側ハウジング半体338は外表面398、コネクタ302の対となる端部310に隣接する第１端部400、及びコネクタ302のケーブルクランプ端部334に隣接する第２端部402を有している。外表面398上にはタブ404があり、このタブは外側ハウジング336の内部領域340内の凹部366に嵌合する。図54において破線で示されるように、ファイバ64（又はワイア66）のループ365は内部領域342内のケーブル マネジメント構成326の１つ又は双方の回りに延在し、過剰なケーブルレングスにたるみを提供し、ループ365内のケーブルを屈曲から保護する。第１端部400に隣接してスロット406が存在する。該スロットはアダプタ50のフランジに嵌合するような大きさで形成されており、アダプタ50をコネクタ302の内部領域318内で確実に保持することができる。
【００４５】
一対のバルクヘッド408はスロット406を規定し、更に第１端部400における開口を規定し、アダプタ50が内部領域342から対になる端部（mating end）310に延在することを可能にしている。バルクヘッド408は、内部領域342から対になる端部310に向かって延びるように、複数ピンジャック ハウジング344のための開口410を規定している。スロット406はピンジャック開口410を通って延びており、ピンジャック ハウジング344のフランジに嵌合している。外表面398は、外側ハウジング336の内部領域340の内壁374によって緊密に嵌合している。外表面398と内壁374の緊密な嵌合により、アダプタ50とピンジャック ハウジング344が内部領域342内の所望の位置にしっかりと保持されるので、それらは整列され、コネクタ300の対になるフィーチャ（feature）に嵌合することができる。
【００４６】
図５６乃至５８を参照すると、コネクタ300の内側ハウジング半体316は第１端部412と第２端部414を有している。第１端部はコネクタ300の対になる端部308の隣りに位置している。第２端部はコネクタ300のケーブルクランプ端部334の隣に位置している。ハウジング半体は外表面398と、第２端部414の隣のアラインメントタブ404を有している。第１端部412に隣接する内部領域318内において、スロット416は一対のバルクヘッド418により規定されている。スロット416は、複数のファイバコネクタ52の回りにフィットするコネクタ リテーナ323を受け入れる大きさに構成されている。コネクタリテーナ323は対になる端部308内で複数コネクタを位置づけし、保持する。追加の内部バルクヘッド420は、複数ファイバコネクタ52の内部端に嵌合するストップ（stop）、及びコネクタ302のアダプタ50内で嵌合し、組合せるための位置にコネクタ52を保持するストップを提供する。バルクヘッド418と420は開口422を規定し、ピンジャック ハウジング322が対になる端部308に向かって内部領域318から延びることを許容する。スロット416は開口422を通って延び、ピンジャック ハウジング322のフランジに嵌合する。内部領域318内のケーブル マネジメント構成326は開口325を有しており、２つの内側ハウジング半体316の間のケーブル リテーナ324のピンを受け入れている。これは図３２と３３に示されている。
【００４７】
ケーブル リテーナ324が図59乃至61に示されている。ケーブル リテーナ324は中央プレート424及び、プレート424の両側に延びる１対のピン426を有している。複数ピン426はケーブル マネジメント構成326の開口325内に受け入れられ、内部領域318又は342内においてケーブル リテーナを位置づけし、保持している。図示のように、複数ピン424は種々の長さであってもよく、これはコネクタ300と302の組み立てを手助けする。又は同一長さであってもよい。図３２と３３に示すように組み立てられる場合、プレート424は各内側ハウジング半体の内部領域318の部分（又は各内側ハウジング半体の内部342をふさぎ、ケーブル マネジメント構成326の回りのファイバ又はワイアを保持する。
【００４８】
図６２乃至６５は、内側ハウジング半体316内のスロット416に嵌合するタブ428付きの雄ピンジャック ハウジング322を表わしている。複数のピンサポート430は本体432の１つの端部から延びており、複数ワイア66を終端する複数ピン68のためのサポートを提供する。本体432の反対端部には、ワイア66を受け入れるための複数チャネル434がある。図６６乃至６９に示されるように、複数ピンサポート430は、雌ピンジャック ハウジング344の本体440の端部438における対になるサポート凹部436内で受け入れられている。ピンジャック ハウジング344はタブ428を有しており、このタブはハウジング半体338のスロット406内に受け入れられる。本体440の端部には、複数ワイア66を受け入れるためのチャネル442がある。
【００４９】
図７０乃至７２を参照すると、ロッキング リング312は外表面454を有しており、この該表面はギザギザにしてもよいし又は確実なグリップにするために織り目状にしてもよい。ロッキング リング312内では、内壁446上には、複数の曲げられたチャネル444があり、コネクタ300の嵌合ピン362を受け入れ、コネクタ300と302を取り外し可能に保持している。コネクタ300と302の対になる複数端部が相互に嵌合し始める場合、ロッキング リング312の端部448は第２端部352を超えて、各ピン362がチャネル444内に位置するまで延在している。ロッキング リング312は、その後回転して、複数ピン362をチャネル444内に、ピン362をピンチャネル445内に受け入れられる迄、より深く引き入れる。ワッシャー346はロッキング リング312の反対端部450に隣り合う内部壁446の溝452内に受け入れられる。コネクタ302にロッキング リング312を固着する一方、溝452と凹部348とによるワッシャー346の嵌合は、コネクタ302に沿った、ロッキング リング312の縦の移動を許容している。
【００５０】
コネクタ リテーナ323が図７３乃至７５に示されている。コネクタリテーナは、内側ハウジング半体316のスロット416に嵌合するために、延びている一対の側部454を有している。上部456と底部457はコネクタ300内の複数ピンジャック ハウジング322に寄りかかり、複数タブ428がスロット416内に嵌合した状態にあるようにしてよい。（同様に、コネクタ302内で、アダプタ50はピンジャック ハウジング344によりかかって、タブ428がスロット406に嵌合した状態にあるようにしてもよい。）一対の開口458はリテーナ323を通して延び、同開口は複数ファイバコネクタ52を受け入れるような大きさに構成されている。開口458の部分460はコネクタ52のロッキング又は保持機構に嵌合するように設けられている。開口458と部分460はファイバ オプティック コネクタの１つのフォーマットに嵌合するようにしめされているが、開口458は必要に応じてファイバ オプティック コネクタにフィットするように変更してもよい。
【００５１】
上記の説明、実施例とデータは本発明の製造と使用を完全に記述するものである。本発明の多くの実施例は本発明の技術思想と範囲から逸脱することなく行うことが出来るから、本発明は特許請求の範囲に存在する。
【図面の簡単な説明】
【００５２】
【図１】一対のケーブルコネクタの間のジャンクション ボックスを含むカメラに接続するためのハイブリッドファイバ/同ケーブルアセンブリの斜視図である。オプティカル ファイバ リペアは、ケーブルセグメントの１つに沿った破線で示される。
【図２】ジャンクション ボックスの1つの側から延びる第１ハイブリッドケーブルを持つ、図１のジャンクション ボックスの斜視図である。
【図３】第２ハイブリッドケーブルのためのファイバコネクタを持つ、図２のジャンクション ボックスの展開図である。
【図４】２つのオプティカル ファイバと４つの銅ワイアを持つ、従来技術のハイブリッドファイバ/同ケーブルの概略断面図である。
【図５】図１の対になるハイブリッドケーブルコネクタの斜視図である。
【図６】図５の対になるハイブリッドケーブルコネクタの側面図である。
【図７】図５の対のコネクタの展開斜視図である。
【図８】図１のカメラ バルクヘッド マウント ケーブル コネクタの斜視図である。
【図９】図８のバルクヘッド マウント ケーブル コネクタの展開斜視図である。
【図１０】図８のバルクヘッド マウント ケーブル コネクタ端面の図である。
【図１１】図５の第１対ケーブルコネクタの側面図である。
【図１２】図１１の対なるケーブルコネクタの斜視図である。
【図１３】図１１の対なるケーブルコネクタの端面の図である。
【図１４】図５の第２対ケーブルコネクタの斜視図である。
【図１５】図１４のケーブルコネクタの端面の図である。
【図１６】図１１のケーブルコネクタの第１ハウジング半体の内部側面図である。
【図１７】図１６の第１ハウジング半体の第１斜視図である。
【図１８】図１６の第１ハウジング半体の第２斜視図である。
【図１９】図１１のケーブルコネクタの第２ハウジング半体の内部側面図である。
【図２０】図１６の第２ハウジング半体の第１斜視図である。
【図２１】図１６の第２ハウジング半体の第２斜視図である。
【図２２】図１４のケーブルコネクタの第１ハウジング半体の内部側面図である。
【図２３】図２２の第１ハウジング半体の第１斜視図である。
【図２４】図２２の第１ハウジング半体の第２斜視図である。
【図２５】図１４のケーブルコネクタの第２ハウジング半体の内部側面図である。
【図２６】図２５の第２ハウジング半体の第１斜視図である。
【図２７】図２５の第２ハウジング半体の第２斜視図である。
【図２８】図１のジャンクション ボックスとケーブルセグメントを使用するための取り替えファイバセグメントの図である。
【図２９】本発明に基づくついになるハイブリッドファイバ/同ケーブルコネクタの代替の一対の実施例の斜視図である。
【図３０】図２９の１つのケーブルコネクタの展開斜視図である。
【図３１】図２９の別のケーブルコネクタの展開斜視図である。
【図３２】図２９の対になる対のケーブルコネクタの断面斜視図である。
【図３３】図２９の対になる対のケーブルコネクタの断面側面図である。
【図３４】図３０のコネクタを使うための外側ハウジングの第１斜視図である。
【図３５】図３４の外側ハウジングの第２斜視図である。
【図３６】図３４の外側ハウジングの側面図である。
【図３７】図３４の外側ハウジングのケーブル端の図である。
【図３８】図３４の外側ハウジングの対になる端部の図である。
【図３９】図３４の外側ハウジングの側面断面図である。
【図４０】図３１のコネクタを使うための外側ハウジングの斜視図である。
【図４１】図４０の外側ハウジングの側面図である。
【図４２】図４０の外側ハウジングのケーブル端の図である。
【図４３】図４０の外側ハウジングの対になる端部の図である。
【図４４】図４０の外側ハウジングの側面断面図である。
【図４５】図２９乃至３１のケーブルコネクタを使うためのケーブルクランプの第一位置の斜視図である。
【図４６】図４５のケーブルクランプの側面図である。
【図４７】図４５のケーブルクランプ部分の上部断面図である。
【図４８】図２９のケーブルコネクタを使うためのケーブルクランプの第２部分の斜視図である。
【図４９】図４８のケーブルクランプ部分の第一側面図である。
【図５０】図４８のケーブルクランプ部分の端面図である。
【図５１】図４８のケーブルクランプ部分の第２側面図である。
【図５２】図５０におけるライン５２−５２に沿った図４８のケーブルクランプ部部の上面切断面である。
【図５３】図３１のケーブルコネクタを使うための内側ハウジング半体の斜視図である。
【図５４】図５３の内側ハウジング半体の上面図である。
【図５５】図５３の内側ハウジング半体の側面図である。
【図５６】図３０のケーブルコネクタを使うための内側ハウジング半体の斜視図である。
【図５７】図５６の内側ハウジング半体の上面図である。
【図５８】図５６の内側ハウジング半体の側面図である。
【図５９】図３０と３１のケーブルコネクタを使うためのファイバリテーナの斜視図である。
【図６０】図５９のファイバリテーナの上面図である。
【図６１】図５９のファイバリテーナの側面図である。
【図６２】図３０のコネクタを使うための第１電気ピンコネクタの斜視図である。
【図６３】図６２の電気ピンコネクタの端面図である。
【図６４】図６２の電気ピンコネクタの第１側面図である。
【図６５】図６２の電気ピンコネクタの第２側面図である。
【図６６】図３１のコネクタを使うための第２電気ピンコネクタの斜視図である。
【図６７】図６６の電気ピンコネクタの端面図である。
【図６８】図６６の電気ピンコネクタの第１側面図である。
【図６９】図６７の電気ピンコネクタの第２側面図である。
【図７０】図３１のコネクタを使うためのロッキング リングの斜視図である。
【図７１】図７０のロッキング リングの端面図である。
【図７２】図７０のロッキング リングの側面図である。
【図７３】破線で示した内部フィーチャを有する図６７の電気ピンコネクタの第２側面図である。
【図７４】図７３のファイバコネクタリテーナの側面図である。
【図７５】図７３のファイバコネクタリテーナの端面図である。
【図１】
2008537295.tif 000003
【図２】
2008537295.tif 000004
【図３】
2008537295.tif 000005
【図４】
2008537295.tif 000006
【図５】
2008537295.tif 000007
【図６】
2008537295.tif 000008
【図７】
2008537295.tif 000009
【図８】
2008537295.tif 000010
【図９】
2008537295.tif 000011
【図１０】
2008537295.tif 000012
【図１１】
2008537295.tif 000013
【図１２】
2008537295.tif 000014
【図１３】
2008537295.tif 000015
【図１４】
2008537295.tif 000016
【図１５】
2008537295.tif 000017
【図１６】
2008537295.tif 000018
【図１７】
2008537295.tif 000019
【図１８】
2008537295.tif 000020
【図１９】
2008537295.tif 000021
【図２０】
2008537295.tif 000022
【図２１】
2008537295.tif 000023
【図２２】
2008537295.tif 000024
【図２３】
2008537295.tif 000025
【図２４】
2008537295.tif 000026
【図２５】
2008537295.tif 000027
【図２６】
2008537295.tif 000028
【図２７】
2008537295.tif 000029
【図２８】
2008537295.tif 000030
【図２９】
2008537295.tif 000031
【図３０】
2008537295.tif 000032
【図３１】
2008537295.tif 000033
【図３２】
2008537295.tif 000034
【図３３】
2008537295.tif 000035
【図３４】
2008537295.tif 000036
【図３５】
2008537295.tif 000037
【図３６】
2008537295.tif 000038
【図３７】
2008537295.tif 000039
【図３８】
2008537295.tif 000040
【図３９】
2008537295.tif 000041
【図４０】
2008537295.tif 000042
【図４１】
2008537295.tif 000043
【図４２】
2008537295.tif 000044
【図４３】
2008537295.tif 000045
【図４４】
2008537295.tif 000046
【図４５】
2008537295.tif 000047
【図４６】
2008537295.tif 000048
【図４７】
2008537295.tif 000049
【図４８】
2008537295.tif 000050
【図４９】
2008537295.tif 000051
【図５０】
2008537295.tif 000052
【図５１】
2008537295.tif 000053
【図５２】
2008537295.tif 000054
【図５３】
2008537295.tif 000055
【図５４】
2008537295.tif 000056
【図５５】
2008537295.tif 000057
【図５６】
2008537295.tif 000058
【図５７】
2008537295.tif 000059
【図５８】
2008537295.tif 000060
【図５９】
2008537295.tif 000061
【図６０】
2008537295.tif 000062
【図６１】
2008537295.tif 000063
【図６２】
2008537295.tif 000064
【図６３】
2008537295.tif 000065
【図６４】
2008537295.tif 000066
【図６５】
2008537295.tif 000067
【図６６】
2008537295.tif 000068
【図６７】
2008537295.tif 000069
【図６８】
2008537295.tif 000070
【図６９】
2008537295.tif 000071
【図７０】
2008537295.tif 000072
【図７１】
2008537295.tif 000073
【図７２】
2008537295.tif 000074
【図７３】
2008537295.tif 000075
【図７４】
2008537295.tif 000076
【図７５】
2008537295.tif 000077
【国際調査報告】
2008537295.tif 000078
2008537295.tif 000079
2008537295.tif 000080